(57)【要約】      （修正有）【課題】地下構築物、特に地下鉄構内の天井のコンクリート壁の漏水処理に用いる導水パネルに、駅名、広告文字等を表わした表示体の取付装置の提供。【解決手段】中央の仕切り板３を介して上部に多数の中空ブロック４を配設し、該中空ブロック４間に導水路５を形成し且つ、前記中空ブロック４上に不燃布６を貼着してなる第１パネル２と、前記仕切板３と表面板８との間に、多数の傾斜リブ９を連設してなる第２パネル７によって構成される導水パネルにおいて、前記第２パネル７内の傾斜リブ９によって形成される逆三角形状の空間部１０に、通し孔１１ａを有するＶ字形状で長尺の固定板１１を挿嵌すると共に、該固定板１１の通し孔１１ａ及び前記第２パネル７の表面板８に穿設した通し孔８ａにフレシキブルワイヤー１２を通して、筒状部材１３の底板１４に穿設した止孔１４ａにカシメ等の手段によって止着して、筒状部材１３を懸吊し、表示板を装着するようにした。【選択図】図１
2004177913.tif 000002
【特許請求の範囲】
【請求項１】
中央の仕切り板３を介して上部に多数の中空ブロック４を配設し、該中空ブロック４間に導水路５を形成し且つ、前記中空ブロック４上に不燃布６を貼着してなる第１パネル２と、前記仕切板３と表面板８との間に、多数の傾斜リブ９を連設してなる第２パネル７によって構成される導水パネル１において、該導水パネル１を適宜の手段によって天井の漏水箇所のコンクリート壁に装着固定し、前記第２パネル７内の傾斜リブ９によって形成される逆三角形状の空間部１０に、通し孔１１ａを有するＶ字形状で長尺の固定板１１を挿嵌すると共に、該固定板１１の通し孔１１ａ及び前記第２パネル７の表面板８に穿設した通し孔８ａにフレシキブルワイヤー１２を通して、該フレシキブルワイヤー１２を導水パネル１の下側に埀下せしめて、このフレシキブルワイヤー１２を、筒状部材１３の底板１４に穿設した止孔１４ａにカシメ等の手段によって止着して前記筒状部材１３を懸吊し、この筒状部材１３に適宜の手段によって表示版を装着するようになる導水パネルにおける表示体の取付装置。
【発明の詳細な説明】
【０００１】
【発明の属する技術分野】
本発明は、地下構築物、特に地下鉄構内の天井のコンクリート壁の漏水処理に用いる導水パネルに、駅名、広告文字等を表わした表示体の取付装置に関するものである。
【０００２】
【従来の技術】
地下鉄構内のコンクリート壁面からの漏水処理に関して、導水パネルを使用する事例が次第に増加しつつあるが、天井のコンクリート壁からの漏水処理についても導水パネルの使用が有益であり、この天井に装着した導水パネルに、駅名、広告文字等を表示した表示体を取付ける必要性が出てくる場合が考えられ、現在導水パネルに表示体を取付けるための考案は全く開発されていない。
【０００３】
【発明が解決しようとする課題】
天井の漏水処理に使用する導水パネルに、駅名、広告文字等を表示した表示体を取付けることは、導水パネルの使用頻度に応じてその必要性が大きくなることは明らかである。本発明は今後、天井の漏水補修処理に盛んに使用されるであろう導水パネルに、駅名、広告文字等を表わした表示体を、簡便且つ強固に装着し得る導水パネルにおける表示体の取付装置の提供を目的としたものである。
【０００４】
【課題を解決するための手段】
本発明は、前記の目的を達成する手段として、中央の仕切り板３を介して上部に多数の中空ブロック４を配設し、該中空ブロック４間に導水路５を形成し且つ、前記中空ブロック４上に不燃布６を貼着してなる第１パネル２と、前記仕切板３と下側の表面板８との間に、多数の傾斜リブ９を連設してなる第２パネル７によって構成される導水パネル１において、該導水パネル１を適宜の手段によって天井の漏水箇所のコンクリート壁に装着固定し、前記第２パネル７内の傾斜リブ９によって形成される逆三角形状の空間部１０に、通し孔１１ａを有するＶ字形状で長尺の固定板１１を挿嵌すると共に、該固定板１１の通し孔１１ａ及び前記第２パネル７の表面板８に穿設した通し孔８ａにフレシキブルワイヤー１２を通して、該フレシキブルワイヤー１２を導水パネル１の下側に埀下せしめて、このフレシキブルワイヤー１２を、筒状部材１３の底板１４に穿設した止孔１４ａにカシメ等の手段によって止着して前記筒状部材１３を懸吊し、この筒状部材１３に適宜の手段によって表示版を装着するようにした。
【０００５】
【発明の実施の形態】
本発明の具体的な構造を、図にもとづいて説明すると、導水パネル１は、合成樹脂製であって、中央の仕切板３によって区画された第１パネル３及び第２パネル７によって構成されている。第１パネル３は、前記仕切り板３の長さ方向に多数の等間隔をなす中空ブロック４が配列されており、該中空ブロック４間に導水路５が形成され且つ、該中空ブロック４上に不燃布６が貼着されている。又、第２パネル７は、前記仕切板３と下側の表面板８との間に、多数の傾斜リブ９を連設してパネルの補強を図っている。この導水パネル１は一例として、天井のコンクリート壁に打込んだアンカボルト上の受金具に、導水パネル１に取付けた取付金具１５をビス止め等の手段によ天井に装着するよになる。
【０００６】
而して、導水パネル１における第２パネル７の傾斜リブ９によって形成される逆三角形状の空間部１０に、Ｖ字形状で長尺の固定板１１を挿嵌し、該固定板１１に穿った通し孔１１ａ及び導水パネル１の表面板８に穿った通し孔８ａにフレシキブルワイヤー１２を挿通して該フレシキブルワイヤー１２を導水パネル１の下方に埀下せしめる。導水パネル１の下方に埀下したフレシキブルワイヤー１２を、筒状部材１３の底板１４に穿った止孔１４ａに通して該部分をカシメ止め等の手段で止着し、筒状部材１３を導水パネル１に固定すると共に、該筒状部材１３に適宜の手段をもって、駅名、広告等の表示体を装着するようになる。
【０００７】
前記筒状部材１３の取付手段としての一例を示すと、フレシキブルワイヤー１２を予め筒状部材１３の底板１４の止孔１４ａに止着しておき、つぎに、導水パネル１の表面板８の通し孔８ａ及び固定板１１の通し孔１１ａに前記フレシキブルワイヤーを挿通し、該ワイヤー１２を押し上げるようにすると、ワイヤー１２は空間部１０の案内によって導水パネル１の端縁まで誘導され、このワイヤー１２を適宜手段によって止着するようにすればよい。
【０００８】
【発明の効果】
本発明は、前記の構成により、以下に列挙する諸効果を有する。
（１）空間部９に挿嵌した固定板１１の通し孔１１ａ及び導水パネル１の表面板８に設けた通し孔８ａにフレシキブルワイヤー１２を通して下方に埀下した該ワイヤー１２に筒状部材１３を取付け、この筒状部材１３に表示体の装着するようにしたもので、作業性が極めて良く、簡便且つ迅速な作業遂行が得られ、コスト削減に寄与し得るばかりでなく、表示体を安全、確実に支持し得る利点を有する。
（２）導水パネル１の区画壁を構成する仕切板３を何等損傷することなく、表示体を簡便、確実に支持するようにしたもので、第１パネル２が第２パネル７側に漏水が浸出する虞れが全くなく、第２パネル７の空間部を照明器具の配線エリアとして有効に活用することが可能となるものである。
【図面の簡単な説明】
【図１】本発明の要部を示す断面図
【図２】同要部の分解斜視図
【符号の説明】
１    導水パネル
２    第１パネル
３    仕切板
４    中空ブロック
５    導水路
６    不燃布
７    第２パネル
８    表面板
９    傾斜リブ
１０  空間部
１１  固定板
１２  フレシキブルワイヤー
１３  筒状部材
【図１】
2004177913.tif 000003
【図２】
2004177913.tif 000004